(57)【特許請求の範囲】
【請求項１】
光ディスクを回転させるスピンドルモータと、前記光ディスクに対してレーザ光を照射する光ヘッドと、信号を処理するための信号処理装置と、前記光ヘッドにて検出され前記信号処理装置にて復号化された信号を外部の映像表示部に接続するための外部接続部と、制御部とを備える光ディスク装置であって、
前記光ヘッドは、レーザ光を照射するレーザ光源と、前記レーザ光を３ビーム化するグレーティングと、前記レーザ光の一部を反射し一部を透過するハーフミラーと、前記レーザ光を反射するミラーと、前記レーザ光を平行光にするコリメータレンズと、光を受光し電気信号に変換する受光素子とが固定されるベースと、前記レーザ光を前記光ディスクに照射するための対物レンズが保持されるアクチュエータと、前記ベースの底面を覆うカバー部材とを有しており、
前記ベースは前記レーザ光源の側面に形成されたキー溝と係合するキーを備え、該レーザ光源のレーザ光出射部を挿入する光源挿入孔と、前記光源挿入孔を挟んで対向する２本のボスと、前記光源挿入孔を挟んで対向し前記ボスと異なる位置に配置される２本の雌ねじ孔とを有する光源設置部を有しており、
前記カバー部材は前記ベースの底面全面を覆う形状を有し、前記グレーティングを調整するためのグレーティング調整窓と、前記アクチュエータの傾きを調整するための傾き調整窓を有するカバー部と、円筒形の凹形状を有し、前記レーザ光源の光源挿入孔から突出する部分と接触する光源接触部と、前記光源接触部に形成され、前記レーザ光源の配線が貫通する光源貫通孔と、前記ボスが貫通するボス孔と、前記雌ねじ孔と重なるボルト孔とを有する光源支持部とを有しており、
前記カバー部材は、前記ボスと前記ボス孔が係合させるとともに、前記光源接触部を前記レーザ光源の光源挿入孔から突出する部分と係合させ、ボルトをボルト孔を貫通させ雌ねじ孔に螺合することで取り付けられるとともに、アルミニウム板をプレス加工にて切曲げて形成されることを特徴とする光ディスク装置。
【請求項２】
光ヘッドで光ディスクにレーザ光を照射することでデータを記録、読出しする光ディスク装置であって、
前記光ヘッドは、レーザ光を照射するレーザ光源が固定されるベースと、前記ベースの底面を覆うカバー部材とを有しており、
前記ベースは前記レーザ光源の側面に形成されたキー溝と係合するキーを備え、該レーザ光源のレーザ光出射部を挿入する光源挿入孔と、前記光源挿入孔に近接して配置される少なくとも１本のボスと、前記光源挿入孔に近接して配置され前記ボスと異なる位置に配置される少なくとも１個の雌ねじ孔とを有する光源設置部を有しており、
前記カバー部材は前記ベースの底面全面を覆う形状を有し、グレーティングを調整するためのグレーティング調整窓と、アクチュエータの傾きを調整するための傾き調整窓を有するカバー部と、円筒形の凹形状を有し、前記レーザ光源の光源挿入孔から突出する部分と接触する光源接触部と、前記光源接触部に形成され、前記レーザ光源の配線が貫通する光源貫通孔と、前記ボスが貫通するボス孔と、前記雌ねじ孔と重なるボルト孔とを有する光源支持部とを有しており、
前記カバー部材は、前記ボスと前記ボス孔が係合させるとともに、前記光源接触部を前記レーザ光源の光源挿入孔から突出する部分と係合させ、ボルトをボルト孔を貫通させ雌ねじ孔に螺合することで取り付けられるとともに、アルミニウム板をプレス加工にて切曲げて形成されることを特徴とする光ディスク装置。
【請求項３】
レーザ光を照射するレーザ光源と、
前記レーザ光を回折するグレーティングと、
前記レーザ光の一部を反射し一部を透過するハーフミラーと、
前記レーザ光を平行光にするコリメータレンズと、
前記レーザ光を前記光ディスクに照射するための対物レンズと、
光を受光し電気信号に変換する受光素子と、
前記対物レンズを保持するアクトベースと、
前記レーザ光源、グレーティング、ハーフミラー、受光素子及びアクトベースが固定されるベースと、
前記ベースの底面を覆うように装着されるカバー部材とを有しており、前記ベースは前記レーザ光源の側面に形成されたキー溝と係合するキーを備え、該レーザ光源のレーザ光出射部を挿入する光源挿入孔と、前記光源挿入孔を挟んで対向する２本のボスと、前記光源挿入孔を挟んで対向し前記ボスと異なる位置に配置される２本の雌ねじ孔とを有する光源設置部を有しており、
前記カバー部材は前記ベースの底面全面を覆う形状を有し、前記グレーティングを調整するためのグレーティング調整窓と、前記アクトベースの傾きを調整するための傾き調整窓を有するカバー部と、円筒形の凹形状を有し、前記レーザ光源の光源挿入孔から突出する部分と接触する光源接触部と、前記光源接触部に形成され、前記レーザ光源の配線が貫通する光源貫通孔と、前記ボスが貫通するボス孔と、前記雌ねじ孔と重なるボルト孔とを有する光源支持部とを有しており、
前記カバー部材は、前記ボスと前記ボス孔が係合させるとともに、前記光源接触部を前記レーザ光源の光源挿入孔から突出する部分と係合させ、ボルトをボルト孔を貫通させ雌ねじ孔に螺合することで取り付けられるとともに、アルミニウム板をプレス加工にて切曲げて形成されることを特徴とする光ヘッド。
【請求項４】
レーザ光を照射するレーザ光源と、
前記レーザ光源が固定されるベースと、
前記ベースの底面を覆うように装着されるカバー部材とを有しており、
前記ベースは前記レーザ光源の側面に形成されたキー溝と係合するキーを備え、該レーザ光源のレーザ光出射部を挿入する光源挿入孔と、前記光源挿入孔に近接して配置される少なくとも１本のボスと、前記光源挿入孔に近接して配置され前記ボスと異なる位置に配置される少なくとも１個の雌ねじ孔とを有する光源設置部を有しており、
前記カバー部材は前記ベースの底面全面を覆う形状を有し、グレーティングを調整するためのグレーティング調整窓と、アクチュエータの傾きを調整するための傾き調整窓を有するカバー部と、円筒形の凹形状を有し、前記レーザ光源の光源挿入孔から突出する部分と接触する光源接触部と、前記光源接触部に形成され、前記レーザ光源の配線が貫通する光源貫通孔と、前記ボスが貫通するボス孔と、前記雌ねじ孔と重なるボルト孔とを有する光源支持部とを有しており、
前記カバー部材は、前記ボスと前記ボス孔が係合させるとともに、前記光源接触部を前
記レーザ光源の光源挿入孔から突出する部分と係合させ、ボルトをボルト孔を貫通させ雌ねじ孔に螺合することで取り付けられるとともに、アルミニウム板をプレス加工にて切曲げて形成されることを特徴とする光ヘッド。
【発明の詳細な説明】
【技術分野】
【０００１】
本発明は、光ディスクにレーザ光を照射することでデータの記録及び（又は）読出しを
行うことができる光ディスク装置に関するものであり、特に前記光ディスクにレーザ光を
照射する光ヘッドに関するものである。
【背景技術】
【０００２】
映像、音声等の情報の記録媒体としてレーザ光を照射することで情報を記録したり及び
（又は）読出したりすることができる光ディスクが利用されている。前記光ディスクとし
て、ＣＤ（Compact Disc）、ＤＶＤ（Digital Versatile Disc）等が広く用いられている
。これら光ディスクを記録媒体として該光ディスクにデータを記録する及び（又は）該光
ディスクからデータの読出す光ディスク装置は、光ディスクの記録面に対しレーザ光を照
射することでデータを記録したり、反射してきた光を検出することでデータを読出したり
する光ヘッドを備えている。
【０００３】
図２に光ヘッドの配置図を示す。図２に示す光ヘッドはそれには限定されないがここで
は、光ディスクに記録されているデータを読出す読出し専用の光ヘッドである。図２に示
すようにレーザ光源Ｌｄと、レーザ光源Ｌｄから照射されたレーザ光を３ビーム化するグ
レーティングＧｒと、ミラーＭｒと、コリメータレンズＬｃと、対物レンズＬｂと、ハー
フミラーＨｍと、受光素子Ｐｄとを有している。レーザ光源Ｌｄより照射されたレーザ光
グレーティングＧｒにて３ビーム化され、ミラーＭｒで反射されてコリメータレンズＬｃ
に入射する。コリメータレンズＬｃに入射したレーザ光は平行光として出射され対物レン
ズＬｂに入射する。対物レンズＬｂに入射したレーザ光は光ディスクＤｓの記録面に照射
される。
【０００４】
このときレーザ光は光ディスクＤｓの記録層に焦点をあわせて、且つ、光軸と光ディス
クＤｓの記録層とが垂直になるようにレーザ光を照射する。ハーフミラーＨｍは入射され
たレーザ光の半分を透過し半分を反射するミラーであり、光ディスクＤｓで反射した光を
受光素子Ｐｄに導くものである。受光素子Ｐｄは光を電流に変換するものであり、光の強
さによってデータを読み取るものである。
【０００５】
図８（Ａ）に従来の光ヘッドの底面図を、図８（Ｂ）に図８（Ａ）に示す光ヘッドの側
面図を示す。図８（Ａ）、図８（Ｂ）に示す光ヘッドＢはベース９１と、ベース９１に取
り付けられるレーザ光源ユニット９２と、レーザ光を回折するグレーティングＧｒと、レ
ーザ光源ユニット９２から発せられる熱を放熱するためのカバー部材９３が取り付けられ
る。
【０００６】
ベース９１はレーザ光源ユニット９２を配置するための光源設置部９１１を有しており
、光源設置部９１１には対角線上に配置された雌ねじ孔９１２と、雌ねじ孔９１２が形成
されているのとは異なる対角線上にボス９１３がそれぞれ２個ずつ形成されている。また
ベース９１の底面にも雌ねじ孔９１４が形成されている。
【０００７】
レーザ光源ユニット９２はレーザ光源Ｌｄと、レーザホルダ９２２とを有している。レ
ーザ光源Ｌｄはレーザホルダ９２２に形成された貫通孔に圧入固定されている。
【０００８】
カバー部材９３は、ベース９１の底面に取り付けらるものであり、底面を覆うカバー部
９３１と、レーザ光源ユニット９２を接触保持するレーザ光源保持部９３２とを有してい
る。グレーティングＧｒを調整するためのグレーティング調整窓９３４と、対物レンズを
保持するアクトベース９４の傾きを調整する傾き調整窓９３５とを有している。
【０００９】
レーザ光源Ｌｄを圧入したレーザホルダ９２２を、光源設置部９１１に配置する。この
とき、光源設置部９１１のボス９１３がレーザホルダ９２２のボス孔を貫通するように配
置される。このように配置されることで、レーザホルダ９２２の位置決めを行うことがで
きる。
【００１０】
さらに、レーザホルダ９２２を貫通したボス９１３とカバー部材９３のレーザ光源保持
部９３２に形成されたボス孔とが嵌合するようにカバー部材９３を取り付ける。
【００１１】
カバー部材９３の上からボルトＢｔを挿入し雌ねじ孔９１２と螺合することで、レーザ
ホルダ９２２及びカバー部材９３を固定することができる。ボルトＢｔの締め付け具合を
調整することで、レーザ光源ユニット９２の角度を微調整することができ、レーザ光源Ｌ
ｄの調整を行うことができる。
【００１２】
特開２００４−３４８８７７号公報に記載の発明は、放熱板に弾性変形部を設け、レー
ザダイオードと前記放熱板とが熱的に結合され、放熱能力を上げるものが示されている。
【特許文献１】特開２００４−３４８８７７号公報
【発明の開示】
【発明が解決しようとする課題】
【００１３】
しかしながら、レーザ光源Ｌｄを圧入するレーザホルダＬｈは金属製の成形物であると
ともに、複雑な加工が必要であるためレーザホルダＬｈを製造するための機器が必要であ
り、加工に多くの時間と、手間を必要としていた。
【００１４】
また、レーザホルダＬｈにレーザ光源Ｌｄを取り付ける場合、レーザ光源Ｌｄをレーザ
ホルダＬｈに設けられた孔に圧入固定するものが主である。このレーザ光源Ｌｄを圧入固
定するものの場合、レーザ光源Ｌｄに無理な力がかかることが多く、レーザ光源Ｌｄに無
理な力がかかるとレーザ光の出射部が予想外の方向に向いたり、レーザ光源Ｌｄを傷つけ
たり、破損してしまったりすることがある。
【００１５】
また特開２００４−３４８８７７号公報に記載の発明の場合、レーザダイオードに接触
する弾性変形部を設けなくてはならず、放熱板の加工が複雑であり、それだけ時間と手間
がかかる。
【００１６】
そこで本発明は、簡単な方法でレーザ光源をベースに取り付けることができ、レーザ光
の光軸等のレーザ光源の組立による精度のばらつきを抑制することができ、安定して光デ
ィスクからのデータの読出し及び（又は）光ディスクへのデータの書き込みを行うことが
できる光ヘッド及び光ディスク装置を提供することを目的とする。
【００１７】
また本発明は、レーザ光源から発せられる熱を外部に確実に放出し、前記レーザ光源の
熱による出力のばらつきを抑制し、それだけ安定して光ディスクからのデータの読出し及
び（又は）光ディスクへのデータの書き込みを行うことができる光ヘッド及び光ディスク
装置を提供することを目的とする。
【課題を解決するための手段】
【００１８】
上記目的を達成するために本発明は、光ディスクを回転させるスピンドルモータと、前記光ディスクに対してレーザ光を照射する光ヘッドと、信号を処理するための信号処理装置と、前記光ヘッドにて検出され前記信号処理装置にて復号化された信号を外部の映像表示部に接続するための外部接続部と、制御部とを備える光ディスク装置であって、前記光ヘッドは、レーザ光を照射するレーザ光源と、前記レーザ光を３ビーム化するグレーティングと、前記レーザ光の一部を反射し一部を透過するハーフミラーと、前記レーザ光を反射するミラーと、前記レーザ光を平行光にするコリメータレンズと、光を受光し電気信号に変換する受光素子とが固定されるベースと、前記レーザ光を前記光ディスクに照射するための対物レンズが保持されるアクチュエータと、前記ベースの底面を覆うカバー部材とを有しており、前記ベースは前記レーザ光源の側面に形成されたキー溝と係合するキーを備え、該レーザ光源のレーザ光出射部を挿入する光源挿入孔と、前記光源挿入孔を挟んで対向する２本のボスと、前記光源挿入孔を挟んで対向し前記ボスと異なる位置に配置される２本の雌ねじ孔とを有する光源設置部を有しており、前記カバー部材は前記ベースの底面全面を覆う形状を有し、前記グレーティングを調整するためのグレーティング調整窓と、前記アクチュエータの傾きを調整するための傾き調整窓を有するカバー部と、円筒形の凹形状を有し、前記レーザ光源の光源挿入孔から突出する部分と接触する光源接触部と、前記光源接触部に形成され、前記レーザ光源の配線が貫通する光源貫通孔と、前記ボスが貫通するボス孔と、前記雌ねじ孔と重なるボルト孔とを有する光源支持部とを有しており、前記カバー部材は、前記ボスと前記ボス孔が係合させるとともに、前記光源接触部を前記レーザ光源の光源挿入孔から突出する部分と係合させ、ボルトをボルト孔を貫通させ雌ねじ孔に螺合することで取り付けられるとともに、アルミニウム板をプレス加工にて切曲げて形成されることを特徴とする。
【００１９】
この構成によると、前記レーザ光源を前記光源設置部に圧入することなく、取り付ける
ことができるので、圧入工程を省略することができ、それだけ、製造にかかる手間と、時
間を省略することができる。これにより、圧入による前記レーザ光源が傷ついたり、破損
したりする不具合を低減することができる。
【００２０】
また、前記レーザ光源を圧入しないので、一度光源挿入孔に挿入した該レーザ光源を取り外しても再度利用することができる。このことにより、前記レーザ光源を取り替えることも可能になり、光ヘッドの寿命を延ばすことができるとともに、前記光ヘッドに配置されている光学系により適切なレーザ光源を取り付けることができ、それだけ、該光ヘッドのレーザ照射精度を高めることができる。
【００２１】
さらに、前記カバー部材の前記光源支持部に配置された光源接触部がレーザ光源に沿う
ように円筒形の凹形状に形成されていることで、該レーザ光源と該光源接触部との接触面
積を大きくすることができ、それだけ、熱交換効率を挙げることができる。前記レーザ光
源の温度が上昇するのを抑制することで、該レーザ光源の温度変化による出力のばらつき
を抑制することができ、それだけ、光ディスクからのデータの読み取り又は光ディスクへ
のデータ書き込
み精度を高めることができる。
【００２２】
上記目的を達成するために本発明は、光ヘッドで光ディスクにレーザ光を照射することでデータを記録、読出しする光ディスク装置であって、前記光ヘッドは、レーザ光を照射するレーザ光源が固定されるベースと、前記ベースの底面を覆うカバー部材とを有しており、前記ベースは前記レーザ光源の側面に形成されたキー溝と係合するキーを備え、該レーザ光源のレーザ光出射部を挿入する光源挿入孔と、前記光源挿入孔に近接して配置される少なくとも１本のボスと、前記光源挿入孔に近接して配置され前記ボスと異なる位置に配置される少なくとも１個の雌ねじ孔とを有する光源設置部を有しており、前記カバー部材は前記ベースの底面全面を覆う形状を有し、グレーティングを調整するためのグレーティング調整窓と、アクチュエータの傾きを調整するための傾き調整窓を有するカバー部と、円筒形の凹形状を有し、前記レーザ光源の光源挿入孔から突出する部分と接触する光源接触部と、前記光源接触部に形成され、前記レーザ光源の配線が貫通する光源貫通孔と、前記ボスが貫通するボス孔と、前記雌ねじ孔と重なるボルト孔とを有する光源支持部とを有しており、前記カバー部材は、前記ボスと前記ボス孔が係合させるとともに、前記光源接触部を前記レーザ光源の光源挿入孔から突出する部分と係合させ、ボルトをボルト孔を貫通させ雌ねじ孔に螺合することで取り付けられるとともに、アルミニウム板をプレス加工にて切曲げて形成されることを特徴とする。
【００２３】
この構成によると、前記レーザ光源を前記光源設置部に圧入することなく、取り付ける
ことができるので、圧入工程を省略することができ、それだけ、製造にかかる手間と、時
間を省略することができる。これにより、圧入による前記レーザ光源が傷ついたり、破損
したりする不具合を低減することができる。
【００２４】
また、前記レーザ光源を圧入しないので、一度光源挿入孔に挿入した該レーザ光源を取
り外しても再度利用することができる。このことにより、前記レーザ光源を取り替える個
も可能になり、光ヘッドの寿命を延ばすことができるとともに、前記光ヘッドに配置され
ている光学系により適切なレーザ光源を取り付けることができ、それだけ、該光ヘッドの
レーザ照射精度を高めることができる。
【００２５】
さらに、前記カバー部材の前記光源支持部に配置された光源接触部がレーザ光源に沿う
ように円筒形の凹形状に形成されていることで、該レーザ光源と該光源接触部との接触面
積を大きくすることができ、それだけ、熱交換効率を挙げることができる。前記レーザ光
源の温度が上昇するのを抑制することで、該レーザ光源の温度変化による出力のばらつき
を抑制することができ、それだけ、光ディスクからのデータの読み取り又は光ディスクへ
のデータ書き込み精度を高めることができる。
【００２６】
上記目的を達成するために本発明は、レーザ光を照射するレーザ光源と、前記レーザ光を回折するグレーティングと、前記レーザ光の一部を反射し一部を透過するハーフミラーと、前記レーザ光を平行光にするコリメータレンズと、前記レーザ光を前記光ディスクに照射するための対物レンズと、光を受光し電気信号に変換する受光素子と、前記対物レンズを保持するアクトベースと、前記レーザ光源、グレーティング、ハーフミラー、受光素子及びアクトベースが固定されるベースと、前記ベースの底面を覆うように装着されるカバー部材とを有しており、前記ベースは前記レーザ光源の側面に形成されたキー溝と係合するキーを備え、該レーザ光源のレーザ光出射部を挿入する光源挿入孔と、前記光源挿入孔を挟んで対向する２本のボスと、前記光源挿入孔を挟んで対向し前記ボスと異なる位置に配置される２本の雌ねじ孔とを有する光源設置部を有しており、前記カバー部材は前記ベースの底面全面を覆う形状を有し、前記グレーティングを調整するためのグレーティング調整窓と、前記アクトベースの傾きを調整するための傾き調整窓を有するカバー部と、円筒形の凹形状を有し、前記レーザ光源の光源挿入孔から突出する部分と接触する光源接触部と、前記光源接触部に形成され、前記レーザ光源の配線が貫通する光源貫通孔と、前記ボスが貫通するボス孔と、前記雌ねじ孔と重なるボルト孔とを有する光源支持部とを有しており、前記カバー部材は、前記ボスと前記ボス孔が係合させるとともに、前記光源接触部を前記レーザ光源の光源挿入孔から突出する部分と係合させ、ボルトをボルト孔を貫通させ雌ねじ孔に螺合することで取り付けられるとともに、アルミニウム板をプレス加工にて切曲げて形成されることを特徴とする光ヘッドを提供する。
【００２７】
この構成によると、前記レーザ光源を前記光源設置部に圧入することなく、取り付ける
ことができるので、圧入工程を省略することができ、それだけ、製造にかかる手間と、時
間を省略することができる。これにより、圧入による前記レーザ光源が傷ついたり、破損
したりする不具合を低減することができる。
【００２８】
また、前記レーザ光源を圧入しないので、一度光源挿入孔に挿入した該レーザ光源を取
り外しても再度利用することができる。このことにより、前記レーザ光源を取り替える個
も可能になり、光ヘッドの寿命を延ばすことができるとともに、前記光ヘッドに配置され
ている光学系により適切なレーザ光源を取り付けることができ、それだけ、該光ヘッドの
レーザ照射精度を高めることができる。
【００２９】
さらに、前記カバー部材の前記光源支持部に配置された光源接触部がレーザ光源に沿う
ように円筒形の凹形状に形成されていることで、該レーザ光源と該光源接触部との接触面
積を大きくすることができ、それだけ、熱交換効率を挙げることができる。前記レーザ光
源の温度が上昇するのを抑制することで、該レーザ光源の温度変化による出力のばらつき
を抑制することができ、それだけ、光ディスクからのデータの読み取り又は光ディスクへ
のデータ書き込み精度を高めることができる。
【００３０】
上記目的を達成するために本発明は、レーザ光を照射するレーザ光源と、前記レーザ光源が固定されるベースと、前記ベースの底面を覆うように装着されるカバー部材とを有しており、前記ベースは前記レーザ光源の側面に形成されたキー溝と係合するキーを備え、該レーザ光源のレーザ光出射部を挿入する光源挿入孔と、前記光源挿入孔に近接して配置される少なくとも１本のボスと、前記光源挿入孔に近接して配置され前記ボスと異なる位置に配置される少なくとも１個の雌ねじ孔とを有する光源設置部を有しており、前記カバー部材は前記ベースの底面全面を覆う形状を有し、グレーティングを調整するためのグレーティング調整窓と、アクチュエータの傾きを調整するための傾き調整窓を有するカバー部と、円筒形の凹形状を有し、前記レーザ光源の光源挿入孔から突出する部分と接触する光源接触部と、前記光源接触部に形成され、前記レーザ光源の配線が貫通する光源貫通孔と、前記ボスが貫通するボス孔と、前記雌ねじ孔と重なるボルト孔とを有する光源支持部とを有しており、前記カバー部材は、前記ボスと前記ボス孔が係合させるとともに、前記光源接触部を前記レーザ光源の光源挿入孔から突出する部分と係合させ、ボルトをボルト孔を貫通させ雌ねじ孔に螺合することで取り付けられるとともに、アルミニウム板をプレス加工にて切曲げて形成されることを特徴とする光ヘッドを提供する。
【００３１】
この構成によると、前記レーザ光源を前記光源設置部に圧入することなく、取り付ける
ことができるので、圧入工程を省略することができ、それだけ、製造にかかる手間と、時
間を省略することができる。これにより、圧入による前記レーザ光源が傷ついたり、破損
したりする不具合を低減することができる。
【００３２】
また、前記レーザ光源を圧入しないので、一度光源挿入孔に挿入した該レーザ光源を取
り外しても再度利用することができる。このことにより、前記レーザ光源を取り替える個
も可能になり、光ヘッドの寿命を延ばすことができるとともに、前記光ヘッドに配置され
ている光学系により適切なレーザ光源を取り付けることができ、それだけ、該光ヘッドの
レーザ照射精度を高めることができる。
【００３３】
さらに、前記カバー部材の前記光源支持部に配置された光源接触部がレーザ光源に沿う
ように円筒形の凹形状に形成されていることで、該レーザ光源と該光源接触部との接触面
積を大きくすることができ、それだけ、熱交換効率を挙げることができる。前記レーザ光
源の温度が上昇するのを抑制することで、該レーザ光源の温度変化による出力のばらつき
を抑制することができ、それだけ、光ディスクからのデータの読み取り又は光ディスクへ
のデータ書き込み精度を高めることができる。
【発明の効果】
【００３４】
本発明によると、簡単な方法でレーザ光源をベースに取り付けることができ、レーザ光
の光軸等のレーザ光源の組立による精度のばらつきを抑制することができ、安定して光デ
ィスクからのデータの読出し及び（又は）光ディスクへのデータの書き込みを行うことが
できる光ヘッド及び光ディスク装置を提供することができる。
【００３５】
また本発明によると、レーザ光源から発せられる熱を外部に確実に放出し、前記レーザ
光源の熱による出力のばらつきを抑制し、それだけ安定して光ディスクからのデータの読
出し及び（又は）光ディスクへのデータの書き込みを行うことができる光ヘッド及び光デ
ィスク装置を提供することができる。
【００３６】
また本発明によると、簡単な方法でレーザ光源をベースに取り付けることができ、レー
ザ光の光軸等のレーザ光源の組立による精度のばらつきを抑制することができそれだけ、
不具合の少ない光ヘッド及び光ヘッドを用いた光ディスク装置を提供することができる。
【００３７】
これにより、レーザ光源を取り付けるためのホルダを用いる必要がなく、ホルダにレー
ザ光源を取り付けるための手間及び時間を短縮することができる。また、前記ホルダを製
造しなくてよいので、該ホルダの製造に必要な手間、時間、材料及びエネルギ等を削減す
ることができる。これにより、省エネルギ化、ローコスト化を図ることができる。
【発明を実施するための最良の形態】
【００３８】
以下に本発明の実施形態を図面を参照して説明する。図１に本発明にかかる光ディスク
装置の配置図を示す。図１に示す光ディスク装置は、それには限定されないがここではＤ
ＶＤプレーヤである。図１に示すＤＶＤプレーヤＰＬは、光ディスク（ＤＶＤ記録媒体）
Ｄｓを回転させるスピンドルモータＳｐと、光ディスクＤｓに光を照射し情報を読出す光
ヘッドＡと、光ヘッドＡで検出された信号を復号化するデコーダＤｃと、外部の表示装置
であるモニタＭｎに接続するための外部接続部Ｏｃと、制御部Ｃｏｎｔとを備えている。
【００３９】
ＤＶＤプレーヤＰＬは制御部Ｃｏｎｔによって制御されており、使用者よりＤＶＤを再
生する命令がなされると、まず、スピンドルモータＳｐを駆動し光ディスクＤｓを回転さ
せる。光ヘッドＡより回動している光ディスクＤｓにレーザ光を照射し、その反射光を光
ヘッドＡで検出する。光ヘッドＡに備えられた後述の受光素子Ｐｄは検出した光を電気信
号に変換するものであり、電気信号はデコーダＤｃに送られ映像用の信号に復調され、外
部接続部Ｏｃを介してモニタＭｎに送られ、モニタＭｎに映像を表示する。
【００４０】
図２に光ヘッドの配置図を示す。図２に示す光ヘッドはそれには限定されないがここで
は、光ディスクに記録されているデータを読出す読出し専用の光ヘッドである。図２に示
すようにレーザ光源Ｌｄと、レーザ光源Ｌｄから照射されたレーザ光を３ビーム化するグ
レーティングＧｒと、ミラーＭｒと、コリメータレンズＬｃと、対物レンズＬｂと、ハー
フミラーＨｍと、受光素子Ｐｄとを有している。レーザ光源Ｌｄより照射されたレーザ光
グレーティングＧｒにて３ビーム化され、ミラーＭｒで反射されてコリメータレンズＬｃ
に入射する。コリメータレンズＬｃに入射したレーザ光は平行光として出射され対物レン
ズＬｂに入射する。対物レンズＬｂに入射したレーザ光は光ディスクＤｓの記録面に照射
される。
【００４１】
このときレーザ光は光ディスクＤｓの記録層に焦点をあわせて、且つ、光軸と光ディス
クＤｓの記録層とが垂直になるようにレーザ光を照射する。ハーフミラーＨｍは入射され
たレーザ光の半分を透過し半分を反射するミラーであり、光ディスクＤｓで反射した光を
受光素子Ｐｄに導くものである。受光素子Ｐｄは光を電流に変換するものであり、光の強
さによってデータを読み取るものである。光ディスクにデータを記録することのできる光
ヘッドも基本的に同様の構成である。上述の各部材へのレーザ光の照射順序はこれに限定
されるものではなく、可能な範囲で順序が入れ替わっているものであっても良い。
【００４２】
図３に本発明に係る光ヘッドの平面図を、図４（Ａ）に図３に示す光ヘッドの底面図を
、図４（Ｂ）に図３に示す光ヘッドの側面図を示す。図３、図４（Ａ）、図４（Ｂ）に示
す光ヘッドＡは、ベース１とアクチュエータ２と、ベース１の底面をカバーするカバー部
材３とを有している。カバー部材３はそれには限定されないが、金属板（ここでは、アル
ミニウム板金）を切曲げて形成されている。
【００４３】
図５に図３に示す光ヘッドのカバー部材を外した底面図を、図６（Ａ）に図３に示す光
ヘッドのカバー部材を外した側面図を、図６（Ｂ）に図６（Ａ）に示す光ヘッドの光源設
置部の拡大図を示す。
【００４４】
ベース１は側面にレーザ光源Ｌｄを装着する光源設置部１１を備えている。図６（Ｂ）に示すように光源設置部１１は略中央にレーザ光源Ｌｄを挿入するための光源挿入孔１１１と、光源挿入孔１１１を挟んで２個のボス１１２と、光源挿入孔１１１を挟みボス１１２と重ならない位置に雌ねじ孔１２を備えている。
【００４５】
レーザ光源Ｌｄの側面にはキー溝Ｌｄ１が形成されており、光源挿入孔１１１にはこの
キー溝Ｌｄ１と係合するためのキー１１０が形成されている。光源挿入孔１１１のキー１
１０とレーザ光源Ｌｄのキー溝Ｌｄ１とが係合するように、レーザ光源Ｌｄを光源挿入孔
１１１に挿入することでレーザ光源Ｌｄが回転するのを防止することができる。これによ
って、レーザ光源Ｌｄから出射されるレーザ光の精度を高い状態で維持することができる
。
【００４６】
レーザ光源Ｌｄが挿入された光源挿入孔１１１に近接する位置には、グレーティングＧ
ｒを配置するためのグレーティング配置部１３が配置されている。レーザ光源Ｌｄにて照
射されたレーザ光が遮らないようにするための光路として溝１４が形成されている。溝１
４のレーザ光源とは反対側の端部１４０にはハーフミラーＨｍが配置されており、レーザ
光の半分をミラーＭｒに向けて反射し半分を透過している。
【００４７】
ベース１には略中央部にレーザ光が通過する貫通孔１５が形成されており、貫通孔１５
の表側にはコリメータレンズＬｃが、裏側にはミラーＭｒが配置している。ハーフミラー
ＨｍとミラーＭｒの間も、レーザ光が遮らないようにする光路として溝１６が形成されて
いる。
【００４８】
ミラーＭｒはハーフミラーＨｍで反射したレーザ光をコリメータレンズＬｃに反射する
ように傾けて取り付けられている。ミラーＭｒで反射したレーザ光はコリメータレンズＬ
ｃに入射し平行光になる。ベース１の表側にはアクチュエータ２が取り付けられており、
アクチュエータ２は、レーザ光が対物レンズＬｂに入射するように配置されている。
【００４９】
ベース１は摺動するときの方向を規制するための軸Ａｘが摺動可能に貫通する摺動孔１
７と、摺動孔１７に隣接して形成されるラックギア１８とを有している。ラックギア１８
は図示を省略した歯車と歯合しており、歯車が回転することで摺動する。
【００５０】
アクチュエータ２はアクトベース２０と、対物レンズＬｂを保持するレンズホルダ２１
と、レンズホルダ２１をワイヤばね２２を介して支持する支持部２３とを有している。ア
クチュエータ２は図示を省略したトラッキングコイル、フォーカシングコイル等を用いて
レンズホルダ２１を移動させ対物レンズＬｂのトラッキング調整、フォーカシング調整等
を行うものである。アクチュエータ２は光ディスクＤｓに適切にレーザ光を照射すること
ができるように調整してベース１に取り付けられるものである。
【００５１】
ベース１にはアクチュエータ２の傾きを調整するボルト（不図示）を挿入する傾き調整
孔１９が形成されており、傾き調整孔１９を貫通してアクチュエータ２と螺合するボルト
を調整することで、アクチュエータ２の傾きを調整することができる。
【００５２】
ハーフミラーＨｍのミラーＭｒと反対側受光素子Ｐｄが取り付けられており、ハーフミ
ラーＨｍを透過したレーザ光を受光して電気信号に変換する。
【００５３】
図７（Ａ）に本発明にかかる光ヘッドに用いられるカバー部材の平面図を、図７（Ｂ）
に図７（Ａ）に示すカバー部材の側面図を、図７（Ｃ）にレーザ光源支持部の拡大断面図
を示す。図７（Ａ）、（Ｂ）に示すように、カバー部材３はベース１の底面を覆うカバー
部３１と、レーザ光源Ｌｄを支持しカバー部３１と直交するレーザ光源支持部３２とを備
えている。カバー部材３はそれには限定されないが、ここではアルミニウム板をプレス加
工にて切曲げて形成されるものである。
【００５４】
カバー部材３のカバー部３１にはグレーティング配置部１３と重なる位置に形成されたグレーティングＧｒの調整を行うグレーティング調整用窓３１２と、アクチュエータ２の
傾きを調整するための傾き調整窓３１３とを有している。
【００５５】
また、レーザ光源支持部３２には、光源設置部１１に形成された光源挿入孔１１１に設
置されたレーザ光源Ｌｄの突出部と係合する円筒形の凹形状を有する光源接触部３２１と
、光源設置部１１に備えられているボス１１２と係合するためのボス孔３２２と、光源設
置部１１に形成された雌ねじ孔１１３と重なるように形成されたボルト孔３２３とを有し
ている。
【００５６】
また図７（Ｃ）に示すように、光源接触部３２１の中央部には、レーザ光源Ｌｄに電力を供給するための配線がカバー部材３を貫通するための、光源貫通孔３２４が形成されている。カバー部材３は光源接触部３２１がレーザ光源Ｌｄの光源挿入孔１１１から突出した部分を覆うと共に、接触配置するので、カバー部材３とレーザ光源Ｌｄとの接触面積が大きくなる。
【００５７】
これにより、レーザ光源Ｌｄから発生する熱を効率よくカバー部材３に伝達することが
できる。カバー部材３に伝達された熱は、カバー部材３のレーザ光源支持部３２からカバ
ー部３１に伝播し、大気中に放出される。ずなわち、レーザ光源Ｌｄから発生する熱を効
果的に放熱することができ、レーザ光源Ｌｄを出力の低下を起こす温度以上に上昇するの
を抑制することができる。
【００５８】
図４（Ａ）、図４（Ｂ）に示すように、ベース１の底面にカバー部材３を取り付けるときには、まず、ベース１の光源設置部１１に形成されたボス１１２とカバー部材３のレーザ光源支持部３２に形成されたボス孔３２２を係合させる。ボス１１２をボス孔３２２に係合することで、カバー部材３がベース１に対して正しい位置に来るように位置決めできる。すなわち、光源挿入孔１１１に挿入されたレーザ光源Ｌｄの光源挿入孔１１１から突出する部分にカバー部材３のレーザ光源支持部３２の光源接触部３２１が接触配置される。
【００５９】
このとき、光源設置部１１に設けられた雌ねじ孔１２とカバー部材３のレーザ光源支持部３２のボルト孔３２３とが重なるように配置される。この状態でボルト４をボルト孔３２３に貫通させて雌ねじ孔１２と螺合することで、カバー部材３をベース１に固定することができる。カバー部材３を取り付けた状態では、レーザ光源支持部３２の光源貫通孔３２４より、レーザ光源Ｌｄの一部（レーザ光源に電力を供給する配線）が露出しており、その配線より、レーザ光源Ｌｄへ電力を供給することができる。
【００６０】
また、カバー部材３のカバー部３１にはグレーティングＧｒにアクセスするためのグレ
ーティング調整窓３１２が形成されており、グレーティングＧｒにアクセスすることがで
き、カバー部材３を取り外すことなくグレーティングＧｒの調整を行うことができる。さ
らに、ベース１の表側に配置されるアクチュエータ２の傾きを調整するボルト（不図示）
が挿入される傾き調整窓３１３も形成されているので、カバー部材３が取り付けられた状
態であっても、アクチュエータ２の傾きを調整することが可能である。
【００６１】
ベース１にカバー部材３を取り付けることで、レーザ光源Ｌｄ、ハーフミラーＭｒ、受
光素子Ｐｄ等に物品が接触したり、埃、塵等が付着したりして、破損したり故障したりす
るのを抑制することができる。また、光ヘッドＡの外部よりレーザ光以外の光が入射する
のを防ぐことができるので、受光素子Ｐｄに入射するレーザ光に不要な光が混入せず、受
光素子Ｐｄにて正確な電気信号に変換することができる。さらに、レーザ光源Ｌｄからの
熱を効率よく放熱することができ、それだけ、光ヘッドＡの熱による破損、故障等の不具
合の発生を抑制することができる。
【産業上の利用可能性】
【００６２】
本発明の光ヘッドは、ＤＶＤ、ＣＤ、ＬＤ等の光ディスクにレーザ光を照射して情報を
読み出したり、書き込み可能な光ディスクに情報を記録したりする光ディスク装置におい
て適用することができる。
【図面の簡単な説明】
【００６３】
【図１】本発明にかかる光ディスク装置の配置図である。
【図２】光ヘッドの配置図である。
【図３】本発明に係る光ヘッドの平面図である。
【図４】図（Ａ）は図３に示す光ヘッドの底面図であり、図（Ｂ）は図（Ａ）に示す光ヘッドの側面図である。
【図５】図３に示す光ヘッドのカバー部材を外した状態の底面図である。
【図６】図（Ａ）は図３に示す光ヘッドのカバー部材を外した状態の側面図であり、図（Ｂ）は図（Ａ）に示す光ヘッドの光源設置部の拡大図である。
【図７】図（Ａ）は本発明にかかる光ヘッドに用いられるカバー部材の平面図であり、図（Ｂ）は図（Ａ）に示すカバー部材の側面図であり、図（Ｃ）はレーザ光源支持部の拡大断面図である。
【図８】図（Ａ）は従来の光ヘッドの底面図であり、図（Ｂ）は図（Ａ）に示す光ヘッドの側面図である。
【符号の説明】
【００６４】
Ｄｓ  光ディスク
Ｍｒ  ミラー
Ｈｍ  ハーフミラー
Ｌｄ  レーザ光源
Ｐｄ  受光部
１  ベース
１１  光源設置部
１１１  光源孔
１１２  ボス
１２  雌ねじ孔
１３  グレーティング配置部
１４  溝
１５  貫通孔
２  アクトベース
２１  レンズホルダ
２２  ワイヤばね
２３  支持部
３  カバー部材
３１  カバー部
３１１  ねじ孔
３１２  グレーティング調整窓
３１３  傾き調整窓
３２  レーザ光源支持部
３２１  光源接触部
３２２  ボス孔
３２３  ボルト孔
３２４  光源貫通孔
４  ボルト
【図１】
0004501817.tif 000002
【図２】
0004501817.tif 000003
【図３】
0004501817.tif 000004
【図４】
0004501817.tif 000005
【図５】
0004501817.tif 000006
【図６】
0004501817.tif 000007
【図８】
0004501817.tif 000008
【図７】
0004501817.tif 000009